(57)【要約】【課題】  装置単体での透過原稿読み取りの使い勝手を向上させること。【解決手段】  透過原稿読み取り処理の内容を記載したナビシート２４と、透過原稿を保持したフィルムガイド２５とを、原稿台２３に並べてセットする。そして、スキャナキャリッジユニット２２を移動させながらナビシート２４を先ず読み込み、その内容を認識する。次いで、スキャナキャリッジユニット２２をさらに移動させ、フィルムガイド２５に保持された透過原稿を、ナビシート２４の認識結果に基づいて読み込みする。【選択図】  図４
2005244828.tif 000002
【特許請求の範囲】
【請求項１】
反射原稿と透過原稿とを読み取り可能な画像読取装置において、
原稿台上に置かれた前記透過原稿を読み込む場合、まず、前記原稿台上の、前記透過原稿とは異なる位置に置かれた、前記透過原稿の読み取り条件を記載した反射原稿を読み取り、次いで前記読み取り条件に基づく前記透過原稿の読み取りを行うように制御する制御手段と、
を有することを特徴する画像読取装置。
【請求項２】
前記透過原稿の読み取り条件には、前記透過原稿に含まれる複数のコマのうち読み取るべきコマの指定及び、前記コマのトリミング指定の少なくとも１つが含まれることを特徴とする請求項１記載の画像読取装置。
【請求項３】
原稿台に置かれた反射原稿及び透過原稿を読み取り可能な画像読取装置の制御方法であって、
前記原稿台の第１の領域について、反射原稿の読み取り処理を実行する反射原稿読み取り工程と、
前記反射原稿読み取り工程で読み取った結果を認識する認識工程と、
前記原稿台の第２の領域に対し、前記認識工程での認識結果に基づく透過原稿の読み取り処理を実行する透過原稿読み取り工程とを有することを特徴とする画像読取装置の制御方法。
【請求項４】
コンピュータに、請求項３記載の画像読取装置の制御方法を実行させるプログラム。
【請求項５】
請求項４記載のプログラムを格納したコンピュータ読み取り可能な記録媒体。
【発明の詳細な説明】
【技術分野】
【０００１】
本発明は画像読み取り装置及びその制御方法に関し、特に通常の印刷物等の反射原稿と、フィルム等の透過原稿の両方を読み取ることが可能な画像読取装置及びその制御方法に関する。
【背景技術】
【０００２】
最近の画像読取装置、特にフラットベッドタイプの画像読取装置（以下、フラットベッドスキャナという）において、通常の反射原稿だけでなく、フィルム等透過原稿の読み取り機能を有するものも多く市販されている。一般にこの種の画像読取装置は、原稿を原稿台に押圧するための圧板に内蔵された光源を有し、透過原稿読み取り時にはこの光源を点灯して透過原稿を照射し、その透過光を読み取る構成を有している。
【０００３】
このようなフラットベッドスキャナのなかには、接続されているパーソナルコンピュータ（ＰＣ）からの指示により原稿の読み取りを行うだけでなく、フラットベッドスキャナ本体に設けられた操作部からの指示によって原稿読み取り動作が可能なタイプの装置も存在する。このような装置では、装置単体で透過原稿の読み取りが可能である。
【０００４】
従来、透過原稿を読み取り可能な画像読取装置を用いてフィルムの所望のコマを読み取る場合、画像読み取り装置がＰＣに接続されていれば、所望のコマを含んだフィルムストリップ（３５ｍｍフィルムの場合、通常は６コマ／ストリップである）のプレビュー（簡易読み込み）を接続されたＰＣから指示し、ＰＣの画面に表示されるプレビュー結果から読み込みを希望するコマを指定し、指定したコマのみ本スキャンを行うことができる。
【０００５】
しかし、ＰＣが接続されていない場合（接続されていても起動していないなど、直ちに使用できない場合を含む）など、画像読取装置に設けられた操作部を用いてフィルムの読み込みを行う場合にはコマ指定ができず、全てのコマを本スキャンしたのち、不要なコマの読み取りデータは削除するという面倒な方法しかなかった。
【０００６】
画像読取装置単体での透過原稿読み取りの利便性を向上させるため、コマ指定やトリミング範囲指定といった画像読み取り処理の内容もしくは条件を記載した、ナビシートとよばれる反射原稿を読み取らせ、実行すべき画像読み取り処理の内容を指示することで、装置単体での読み取りにおいても読み取りコマ指定を可能とした画像読取装置も登場している。また、ナビシートを利用可能な画像読取装置の中には、ナビシートとフィルムを別個の読み取り手段で読み取る構成のものも提案されている（例えば、特許文献１参照）。
【０００７】
また、ナビシート作成時にフィルムの各コマの画像を読み取って光ディスクに記録しておき、ナビシートから指定されたコマ画像を再度読み取ることなく、光ディスクから読み出したデータを用いて印刷する装置も提案されている（例えば、特許文献２参照）。
【０００８】
【特許文献１】特開平８−３３１４９４号
【特許文献２】特開平１０−２２４５２８号
【発明の開示】
【発明が解決しようとする課題】
【０００９】
特許文献１に記載されるような、ナビシートとフィルムとを別個の読み取り別な読み取り手段で読み取る構成を有する画像読取装置は、ナビシートとフィルムを同時に読み取ることが可能であるため、読み取り時間の短縮が図れるが、読み取り手段を２つ設ける必要があり、装置の大型化やコスト増を招くという問題がある。
【００１０】
また、特許文献２に記載される構成では、ナビシート作成時に全てのコマ画像を高解像度で読み取る必要があるため時間がかかる。さらに、高解像度で読み取った画像を記憶する必要があるため、光ディスクなど高容量の記憶装置が必要になる。
【００１１】
本発明はこのような従来技術の課題に鑑みなされたものであり、ナビシートを用いた透過原稿読み取り時の使い勝手を向上させることをその主な目的とする。
【課題を解決するための手段】
【００１２】
上述の目的を達成するため、本発明の画像読取装置は、反射原稿と透過原稿とを読み取り可能な画像読取装置において、原稿台上に置かれた透過原稿を読み込む場合、まず、原稿台上の、透過原稿とは異なる位置に置かれた、透過原稿の読み取り条件を記載した反射原稿を読み取り、次いで読み取り条件に基づく透過原稿の読み取りを行うように制御する制御手段と、を有する。
【００１３】
また、上述の目的は、原稿台に置かれた反射原稿及び透過原稿を読み取り可能な画像読取装置の制御方法であって、原稿台の第１の領域について、反射原稿の読み取り処理を実行する反射原稿読み取り工程と、反射原稿読み取り工程で読み取った結果を認識する認識工程と、原稿台の第２の領域に対し、認識工程での認識結果に基づく透過原稿の読み取り処理を実行する透過原稿読み取り工程とを有することを特徴とする画像読取装置の制御方法によっても達成される。
【００１４】
さらに、上述の目的は、本発明による画像読取装置の制御方法をコンピュータに実行させるプログラムや、このプログラムを格納したコンピュータ読み取り可能な記録媒体によっても達成される。
【発明の効果】
【００１５】
本発明によれば、反射原稿と透過原稿とを読み取り可能な画像読取装置において、反射原稿に記載された読み取り条件に基づいて透過原稿の読み取りを行う場合の画像読取装置の使い勝手を向上させることができる。
【発明を実施するための最良の形態】
【００１６】
●（第１の実施形態）
以下、図面を参照して、本発明をその好適な実施形態に基づき詳しく説明する。なお、以下の実施形態に記載されている構成部品の寸法、材質、形状、その相対配置などは、それに限定する旨の明示がない限り、単なる一例であり、発明の範囲を限定するものではない。
【００１７】
●（全体構成）
図２は、本発明の実施形態に係る画像読取装置の基本構成を示すブロック図である。
図２において、１は装置各部の制御処理を行うＣＰＵ（中央処理装置）である。２は、ＣＰＵ１が実行する制御処理プログラムやその制御処理に必要となるパラメータを記憶するＲＯＭである。３は、各種固有なデータの記憶やＣＰＵ１が処理を行うためのワークエリアとして使用するＳＲＡＭ(Static RAM)である。４は、外部ＰＣ（パーソナルコンピュータ）８から受信した画像データ等を記憶し、ＳＲＡＭ３と同様にＣＰＵ１がワークエリアとしても使用可能なＤＲＡＭである。５は、外部ＰＣ１０とのＩ／Ｆ（インタフェース）を取るためのＰＣＩ／Ｆ部である。６は、ユーザが本装置に指示を与えたり各種操作を行うためのキーやボタン、装置の動作状況等を報知するための表示装置やスピーカ等を含む操作部である。７は、スキャナユニット８と接続し、スキャナユニット８内に構成されるイメージセンサに起因するシェーディング歪みを補正するシェーディング補正処理や各種画像処理を行う機能を有する画像処理部である。スキャナユニット８は、反射原稿や白基準部材からの反射光と、透過原稿から透過された透過光を電気信号に変換する機能を有するイメージセンサを内蔵し、反射／透過原稿や白基準部材を照射する光源を有する。
【００１８】
また、ＣＰＵ１、ＲＯＭ２、ＳＲＡＭ３、ＤＲＡＭ４、ＰＣＩ／Ｆ部５、操作部６及び画像処理部はシステムバス９に接続されており、これらの各ブロック間でのデータのやり取りは、システムバス９を使用して行われる。
【００１９】
●（原稿読み取り動作）
このような構成を有する画像読取装置において、原稿を読み取る際の動作を説明する。
原稿の読み取りを行う場合、まず外部ＰＣ１０から読み取り要求が送られ、この読み取り要求はＰＣＩ／Ｆ部５を経由してＣＰＵ１に送られる。ＣＰＵ１は、ＲＯＭ２に記憶された制御プログラムにより、各ブロックに対しての初期化を行い、特に画像処理部７に対しては、スキャナユニット８の初期化及び、主にシェーディング補正処理のためのシェーディング補正データの取り込み等の処理を指示し、原稿の読み取りに備える。
【００２０】
次に、外部ＰＣ１０から実際の読み取り要求コマンドが送られ、ＰＣＩ／Ｆ部５を経由して、ＣＰＵ１がコマンドを受け取ると、ＣＰＵ１は画像処理部７を介してスキャナユニット８を制御し、原稿の読み取りを行う。スキャナユニット８は通常ラインセンサと呼ばれる、主走査方向に延びる細長いイメージセンサを有しており、このイメージセンサを主走査方向と直交する副走査方向に移動させながらライン単位で読み取りを行う。
【００２１】
スキャナユニット８で読み取った原稿の画像データに対して画像処理部７で所定の画像処理を行い、その画像処理結果の画像データをＤＲＡＭ４に一旦記憶させる。そして、ＤＲＡＭ４に記憶された画像データをＰＣＩ／Ｆ部５を通して外部ＰＣ１０に転送する。このような処理を読み取り範囲に指定された範囲の読み取りが終わるまで繰り返し行う。
【００２２】
また、この時外部ＰＣ１０が画像データを受け付けない状態にある場合（ＰＣ１０が他の動作を行っている場合やＰＣ１０自体が停止している状態、等）は、画像データをＤＲＡＭ４に記憶させるまでの処理を行い、その後外部ＰＣから要求があった時点でＤＲＡＭ４から記憶した画像データを転送することも可能である。
【００２３】
以上は外部ＰＣ１０からの指示による原稿の読み取り動作であるが、本実施形態に係る画像読取装置は、本体の操作部６からの指示によって原稿を読み取ることも可能である。て画像データの取り込む動作も可能である。この場合、外部ＰＣ１０からの画像データの読み取り要求の代わりに、操作部６により画像データの読み取り指示を行うことで、前記と同じ動作を行うことが可能となる。
【００２４】
●（スキャナユニットの構成）
次に、図４を参照してスキャナユニット８の構成について説明する。
図４に示すように、スキャナユニット８は、スキャナユニット本体２１と、圧板４１とから構成されるフラットベッドスキャナである。圧板４１は、原稿台２３に置かれた原稿の浮きを押えるとともに、フィルム等の透過原稿を照射するための透過原稿照明ユニット４２が内蔵されている。透過原稿照明ユニット４２には透過原稿用光源４３が内蔵されており、この透過原稿用光源４３からの光を、透過原稿読み取り範囲に均一に照射する。通常の反射原稿読み取り時には透過原稿照明ユニット４２はカバー等で覆われており、透過原稿読み取り時にカバーを取り外して透過原稿照明ユニット４２を露出させるとともに、透過原稿をフィルムガイド（フィルムホルダ）に挟んで原稿台２３の透過原稿読み取り範囲に設置する。
【００２５】
スキャナユニット本体２１は、その天面がガラスなどの透明部材からなる原稿台２３で形成される箱形状を有し、その内部にはスキャナキャリッジユニット２２が配置されている。スキャナキャリッジユニット２２には、ナビシートや印刷物等の反射原稿を照射するための反射原稿用光源３１と、反射原稿による反射光や、透過原稿の透過光など、原稿台２３から入射する光を受光し、電気信号に変換するイメージセンサ３２、及び反射原稿による反射光又は透過原稿の透過光などをイメージセンサ３２に結像させるためのレンズ（不図示）が内蔵されている。上述したように、イメージセンサは主走査方向（図４の紙面に直交する方向）に延びる細長い形状を有しており、ライン単位で受光した光を電気信号に変換する。そして、スキャナキャリッジユニット２２を主走査方向と直交する副走査方向（図４において、読み取り方向と記載される方向）に移動させながらライン単位での読み取りを繰り返し、原稿台２３上の原稿を読み取る。
【００２６】
本実施形態に係る画像読取装置においては、図４に示すように、原稿台２３の、スキャナキャリッジユニット２２の初期位置に近い位置でナビシート２４を読み取り、その後フィルムガイド２５に保持された透過原稿を読み取る。
【００２７】
より具体的には、スキャナキャリッジユニット２２を、図４に示す初期位置から図示しないガイドに沿って読み取り方向に移動させる。そして、ナビシート２４の読み取り開始位置まで移動させたら、ナビシート２４の読み取り動作を行う。この際、ナビシート２４は反射原稿であるため、スキャナキャリッジユニット２２に内蔵された反射原稿用光源３１を点灯し、イメージセンサ３２で反射光を受光してナビシート２４を読み取る。そして、ナビシート２４に記載された情報を取得する。
【００２８】
スキャナキャリッジユニット２２による読み取りがナビシート２４の終端まで達したら（あるいは、透過原稿の読み取り範囲に達したら）、反射原稿用光源３１を消灯し、透過原稿用光源４３を点灯して、ナビシート２４を読み取ることで取得した情報に基づいてフィルムガイド２５に保持された透過原稿の読み取り動作を行う。
【００２９】
図３は、図４の状態におけるスキャナ本体２１を上から見た状態を示す図である。
上述したように、原稿台２３上には反射原稿であるナビシート２４と透過原稿であるフィルムを保持するためのフィルムガイド２５が配置されている。そして、スキャナキャリッジユニット２２を図示していないガイドに沿って矢印の方向に移動させながら、ナビシート２４、フィルムガイド２５に保持されたフィルムの順に読み取る。
【００３０】
なお、本実施形態においては、透過原稿の読み取り範囲がフィルム３コマ分に対応し、フィルムガイド２５が３コマ分のストリップフィルムを保持可能であり、ナビシート２４も同様にフィルム３コマ分の情報が記載できる形式を有するものとする。そして、図３におけるフィルムガイド２５の領域Ａ／Ｂ／Ｃは、保持されたフィルムのコマＡ，Ｂ，Ｃであり、ナビシート２４の領域Ａ／Ｂ／Ｃ（縮小画像領域）にはフィルムのコマＡ，Ｂ，Ｃの縮小画像が印刷されている。また、Ａ情報／Ｂ情報／Ｃ情報（情報領域）はそれぞれフィルムのコマＡ，Ｂ，Ｃの読み取りに関する情報を指定する領域である。なお、領域Ａ／Ｂ／Ｃに印刷される画像は、縮小画像に限らず、等倍画像或いは拡大画像であってもよい。
【００３１】
例えばフィルムのコマＡのみ読み取りを行いたい場合は、原稿台２３にナビシート２４を載置する前に、予めナビシート２４のＡ情報に含まれるコマ指定領域を塗りつぶす等、所定の書式で指定しておく。そして、そのナビシート２４の情報領域を読み取り、フィルムのコマＡを読み取り対象と認識して読み取り動作を行う。
【００３２】
ナビシート２４の情報領域において指定可能な読み取り処理は、読み取るコマの指定に限らず、コマ毎の読取解像度や読取色数、縮小／拡大など、任意に設定可能である。また、情報領域だけでなく、縮小画像領域において読み取り処理の指定を行っても良い。本実施形態では、後述するように、縮小画像領域においてトリミング領域の指定を行う。
【００３３】
このようなナビシート２４は、フィルムガイド２５に保持されたフィルムの各コマＡ〜Ｃのプレビューのためのスキャン（プレスキャン）時などに、外部ＰＣ１０に接続されたプリンタ等の画像形成装置を利用して予め作成されているものとする。
【００３４】
●（ナビシートを利用した透過原稿の読み取り動作−コマ指定）
次に、ナビシート２４を用いた透過原稿の読み取り動作について、図１のフローチャートを用いて説明する。図１のフローチャートに示す処理は、例えば操作部６から、「ナビシートを用いた透過原稿の読み取り」が指示された場合に実行される。
【００３５】
なお、読み取り動作の実行に先立ち、ナビシート２４やフィルムホルダ２５の正しい位置へのセット、透過原稿照明ユニットのカバー取り外し（カバーがある場合）など、必要な準備について操作部６の表示部を通じてユーザにガイダンスするようにしてもよい。
【００３６】
まず、外部ＰＣ１０から読み取り要求があった場合と同様に、ＣＰＵ１はＲＯＭ２に記憶された制御プログラムにより、各ブロックに対しての初期化を行い、特に画像処理部７に対しては、スキャナユニット８の初期化及び、主にシェーディング補正処理のためのシェーディング補正データの取り込み等の処理を指示し、原稿の読み取りに備える。
【００３７】
そして、ステップＳ１−１で、ナビシート２４の読み取りを行う。上述したように、ナビシート２４は反射原稿であるため、スキャナキャリッジユニット２２内の反射原稿用光源３１を点灯し、スキャナキャリッジユニット２２を矢印の方向に移動させながら、ナビシート２４の読み取り動作を行う。ナビシート２４の読み取りが終わったら（もしくは読み取りながら）、ＣＰＵ１は読み取り結果から、ナビシート２４に記載された情報（ここでは情報領域に記載された内容）を検出及び認識し、認識結果をＳＲＡＭ３やＤＲＡＭ４に記憶させる。
【００３８】
次に、ステップＳ１−２で、ナビシート２４の認識結果に基づき、フィルムガイド２５に保持されたフィルムに対して、読み取るコマの指定がされているか否かを判断する。この時コマ指定がされていないと判断（ステップＳ１−２をＮＯと判断）した場合、本実施形態では全てのコマを読み取る指定がなされたものとして、ステップＳ１−４に進み、フィルムガイド２５に保持されているフィルム全てのコマの読み取り動作を行う。
【００３９】
すなわち、スキャナキャリッジユニット２２を透過原稿読み取り範囲の開始位置まで移動させ、反射原稿用光源３１を消灯し、透過原稿用光源４３を点灯して、フィルムガイド２５に保持されたフィルムの全コマを読み取る。
【００４０】
一方、ステップＳ１−２において、ナビシート２４で読み取りコマが指定されていると判断（ステップＳ１−２をＹＥＳと判断）した場合は、ステップＳ１−３に進み、フィルムガイド２５に保持されたフィルムのコマＡ〜Ｃのうち、読み取りが指定されたコマのみの読み取り動作を行う。
【００４１】
すなわち、スキャナキャリッジユニット２２を透過原稿読み取り範囲の開始位置まで移動させ、反射原稿用光源３１を消灯し、透過原稿用光源４３を点灯して、フィルムガイド２５に保持されたフィルムのうち、指定されたコマの画像を読み取る。
【００４２】
●（ナビシートを利用した透過原稿の読み取り動作−トリミング指定）
上述したように、本実施形態における画像読取装置では、ナビシート２４の縮小画像領域を利用して透過原稿読み取り時のトリミング指定を行うことが可能である。以下、図５及び図６を用いて、ナビシート２４によるトリミング指定と読み取り動作について説明する。
【００４３】
図５は、ナビシート２４におけるトリミング指定方法の例を示す図であり、図５（ａ）が実際のコマ画像、図５（ｂ）がナビシート２４の対応する縮小画像領域である。上述のように、ナビシート２４の縮小画像領域には、フィルムガイド２５に保持されたフィルムの各コマの縮小画像が印刷されており、本実施形態ではこの縮小画像に記載されたトリミング指定範囲を認識して対応するコマの画像を読み取る。
【００４４】
図５（ｂ）に、山と木が含まれる画像から、山の部分を抜き出す（木の部分を削除する）トリミング指定を行う場合の記載例を示す。このように、ナビシート２４の縮小画像領域に印刷された画像に対して、読み込みたい領域（トリミング領域）以外の領域（読み込みたくない領域）を斜線で塗りつぶすことで、抜き出す部分を指定する。
【００４５】
なお、図５の例では読み込まない部分を斜線で塗りつぶして指定したが、黒ベタで塗りつぶしても、境界の部分を特定の色で表現するなど、読み込んだ画像データから領域が識別可能でさえあれば、任意の方法で読み込み範囲を指定することができる。なお、逆に読み込みたい部分を斜線で指定するようにしてもよい。
【００４６】
次に、図６のフローチャートを用いて、図５に示した方法でトリミング指定された場合の読み取り動作について説明する。本動作も図１の動作と同様、例えば操作部６から、「ナビシートを用いた透過原稿の読み取り」が指示された場合に実行される。また、初期化処理なども同様に行われる。
【００４７】
まずステップＳ２−１で、ナビシート２４の読み取りを行い、ナビシート２４に記載された情報（ここでは情報領域に記載されたコマ指定と、縮小画像領域に記載されたトリミング範囲指定）を検出及び認識し、認識結果をＳＲＡＭ３やＤＲＡＭ４に記憶させる。ここでの基本的な動作は、図１のステップＳ１−１と同じである。
【００４８】
次にステップＳ２−２で、ナビシート２４の認識結果に基づき、読み取るコマの指定がされているか否かを判断する。ここでコマ指定がされていないと判断（ステップＳ２−２でＮＯと判断）すると、ステップＳ２−３に移行し、ここでトリミング範囲が設定されているか否かを判断する。ここでトリミング範囲が指定されていないと判断（ステップＳ２−３でＮＯと判断）すると、ステップＳ２−５に移行し、フィルムガイド２５に保持されているフィルムの全てのコマについて、トリミング処理を行わずにコマ全体を読み取る動作を行う。また、トリミング範囲が指定されていると判断（ステップＳ２−３でＹＥＳと判断）すると、ステップＳ２−４に移行し、フィルムガイド２５に保持されているフィルムの全てのコマについて読み取りを行う。この際、対応する縮小画像領域にトリミング指示があるコマについては、トリミング処理を行うことを前提として、少なくともナビシート２４の対応する縮小画像領域で指定された範囲の画像を得ることができるような読み取り動作を行う。対応する縮小画像領域にトリミング指定がないコマについては、コマ全体を読み取る。
【００４９】
また、ステップＳ２−２で、コマ指定されていると判断（ステップＳ２−２でＹＥＳと判断）すると、ステップＳ２−６に移行し、トリミング範囲が設定されているか否かを判断する。ここでトリミング範囲が指定されていないと判断（ステップＳ２−６でＮＯと判断）すると、ステップＳ２−８に移行し、フィルムガイド２５に保持されているフィルムの、指定されたコマについて、トリミング処理を行わずにコマ全体を読み取る動作を行う。
【００５０】
また、トリミング範囲が指定されていると判断（ステップＳ２−６でＹＥＳと判断）すると、ステップＳ２−７に移行し、フィルムガイド２５に保持されているフィルムの、指定されたコマについて、対応する縮小画像領域にトリミング指示があるコマについては、トリミング処理を行うことを前提として、少なくともナビシート２４の対応する縮小画像領域で指定された範囲の画像を得ることができるような読み取り動作を行う。対応する縮小画像領域にトリミング指定がないコマについては、コマ全体を読み取る。
【００５１】
なお、ここではトリミング指定を個々の縮小画像領域を用いてコマ毎に指定する場合について説明したが、全コマに共通したトリミング指定用の領域をナビシート２４に設け、この領域にトリミング範囲を指定することで、全コマに対して共通のトリミング範囲の読み込みを行うように構成することも可能である。
【００５２】
このように、本実施形態によれば、原稿台上の異なる位置に置かれたナビシートと透過原稿とを順次読み取ることで、１度の読み取り動作でナビシートに記載された透過原稿読み取り条件に基づいて透過原稿を読み取ることができ、使い勝手がよい。また、ナビシートに透過原稿の読み取り条件を指定することができるため、画像読取装置単体での透過原稿読み取りであっても、きめ細かい読み取りを実現できる。
【００５３】
また、共通のイメージセンサを用いてナビシートと透過原稿を読み取るため、特許文献１記載の技術のように、複数の読み取り手段を設ける必要がない。また、ナビシートとフィルム等の透過原稿を連続して読み取ることが可能になるため、ナビシートとフィルム等の透過原稿を入れ替える必要がない。さらに、ナビシートによるコマ指定やトリミング指定といった透過原稿読み込み条件指定を行う場合でも、先にナビシートの内容を確認できるため、例えばフィルムガイド２５が副走査方向に複数列のフィルムストリップを保持する場合などにおいて、保持されたフィルム等の透過原稿を全て読み取るようなわずらわしい動作を軽減できることになる。
【００５４】
また、トリミング範囲の指定が可能なため、フィルム等の透過原稿を読み取る場合に、その指定された範囲のみを読み取ることが可能となり、外部ＰＣにおけるトリミング処理を行わずともトリミングされたフィルム等の透過原稿の読み取りが可能となる。
【００５５】
●（第２の実施形態）
前記第１の実施形態では、透過原稿の読み取りのみを行う画像読取装置に本発明を適用した例を説明してきたが、画像形成機能を有する画像読取装置に対しても本発明を適用することが可能である。本実施形態では、このような画像読取装置の一例としてのデジタル複合機に本発明を適用した例を説明する。デジタル複合機は複写機の一種であり、画像読取機能、画像形成機能及びファクシミリ送受信機能を有する装置である。
【００５６】
●（全体構成）
図７は、本実施形態に係るデジタル複合機の構成例を示すブロック図で、第１の実施形態において説明した図２と同等の構成には同じ参照数字を付した。両図の比較から明らかなように、本実施形態においては、図２の構成に対し、プリンタ部１１、ＭＯＤＥＭ１２及びＮＣＵ（ネットワークコントロールユニット）１３が付加された構成を有している。
【００５７】
プリンタ部１１は、外部ＰＣ１０から送られてきた画像データや、ＳＲＡＭ３やＤＲＡＭ４に記憶したデータを印刷する機能を有する。ＭＯＤＥＭ１２は、ファクシミリデータの送受信を行う機能を有する。ＮＣＵ１３は、本装置を公衆回線に接続する機能を有する。
【００５８】
また、プリンタ部１０、ＭＯＤＥＭ１２、ＮＣＵ１３は、システムバス９に接続されており、装置を構成する各ユニット間でのデータのやり取りは、システムバス９を使用して行われる。但し、ＭＯＤＥＭ１２とＮＣＵ１３間のデータのやり取りに関しては、システムバス９を介さずに直接行われる。
【００５９】
●（透過原稿のコピー動作）
このような構成を有する画像読取装置において、フィルム等の透過原稿のコピーを取る場合の全体的な動作の流れについて説明する。
【００６０】
まず、ユーザは、第１の実施形態と同様の構成を有するスキャナユニット８の原稿台上の所定位置に、ナビシート及びフィルムガイドをセットし、操作部６から透過原稿コピーを指示する。この指示はＣＰＵ１に送られ、ＣＰＵ１は、ＲＯＭ２に記憶された制御プログラムにより、各ブロックに対しての初期化を行う。次に、ＣＰＵ１は、画像処理部７とスキャナユニット８を制御しながら、原稿の画像読み取り動作を行うと同時に、システムバス９を制御しながら、ＤＲＡＭ４に読み取ったデジタル画像データを記憶させる。デジタル画像データがプリンタ部１１により印刷可能な状態になったところで、ＣＰＵ１は、ＤＲＡＭ４に記憶されたデジタル画像データをプリンタ部１１に送り、デジタル画像データの印刷を開始する。
【００６１】
図８は、本構成におけるトリミング機能を含むコピー動作のフローチャートを示すものである。第１の実施形態で説明した図６と同じ処理については同じ参照数字を付した。このように、本実施形態におけるコピー動作は、読み取ったデジタル画像データをプリント部１１で出力するプリント処理Ｓ３−１が最後に付加されていること以外、原稿画像の読み取り終了までのＳ２−１〜Ｓ２−８の処理を第１の実施形態と共通にしている。
【００６２】
つまり、第１の実施形態で説明したものと同等のナビシートを用意し、第１の実施形態で説明した通りにコマ指定やトリミング指定を考慮した読み取り処理を行い、読み取ったデジタル画像データを、ＳＲＡＭ３又はＤＲＡＭ４に記憶する。そして、記憶したデジタル画像データを読み出し。プリンタ部１１を用いてプリント処理を行う。なお、本実施形態における画像読取装置は、画像形成機能を有するため、ナビシート自体の生成も装置単体で行うことが可能である。ナビシートの生成については本発明と関係がないため詳細な説明は行わないが、フィルムガイド２５に保持された透過原稿に含まれる全コマ画像を読み取り、予め用意したナビシート印刷用のテンプレートに各コマの縮小画像を配置し、上述したようなフォーマットのナビシートをプリンタ部１１から出力すればよい。
なお、プリンタ部１１の画像データ印刷方式としては、電子写真方式やインクジェット式が適用できるが、これらに限定されるものではなくその他適宜な画像データ印刷方式を適用することができる。
このように、本実施形態においても、第１の実施形態と同様の効果が得られる。
【００６３】
●（他の実施形態）
上述の実施形態においては、本発明の説明及び理解を容易にするため、透過原稿の読み取り範囲がフィルム３コマ分に対応し、フィルムガイド２５が３コマ分のストリップフィルムを保持可能であり、ナビシート２４も同様にフィルム３コマ分の情報が記載できる形式を有するものとした。しかしながら、フィルムガイド２５が透過原稿の読み取り範囲内で、より多くのコマを含むストリップフィルムや複数列のストリップフィルムを保持できる構成を有している場合であっても本発明を同様に適用可能であることは言うまでもない。この場合、ナビシート２４はフィルムガイド２５の構成に合わせた形式のものを用いる。
【００６４】
なお、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００６５】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６６】
その場合、プログラムの機能を有していれば、オブジェクトコード、インタプリタにより実行されるプログラム、ＯＳに供給するスクリプトデータ等、プログラムの形態を問わない。
【００６７】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００６８】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００６９】
つまり、本発明の機能処理をコンピュータで実現するためのプログラムデータファイルを複数のユーザに対してダウンロードさせるサーバ装置も本発明に含む。
【００７０】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００７１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００７２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【図面の簡単な説明】
【００７３】
【図１】本発明の第１の実施形態に係る画像読取装置における、ナビシートを利用した透過原稿のコマ指定読み取り動作を示すフローチャートである。
【図２】本発明の第１の実施形態に係る画像読取装置の構成例を示すブロック図である。
【図３】、
【図４】本発明の実施形態に係る画像読取装置における、ナビシートとフィルムガイドの配置及び、読み取り処理を説明する図である。
【図５】ナビシートにおけるトリミング範囲指定の方法の例を説明する図である。
【図６】本発明の第１の実施形態に係る画像読取装置における、ナビシートを利用した透過原稿のコマ指定及びトリミング指定読み取り動作を示すフローチャートである。
【図７】本発明の第２の実施形態に係る画像読取装置としてのデジタル複合機の構成例を示すブロック図である。
【図８】本発明の第２の実施形態に係る画像読取装置における、ナビシートを利用した透過原稿のコマ指定及びトリミング指定読み取り動作を示すフローチャートである。
【符号の説明】
【００７４】
１：ＣＰＵ
２：ＲＯＭ
３：ＳＲＡＭ
４：ＤＲＡＭ
５：ＰＣ Ｉ／Ｆ部
６：操作部
７：画像処理部
８：スキャナユニット
９：システムバス
１０：ＰＣ
２１：スキャナユニット本体
２２：スキャナキャリッジユニット
２３：原稿台
２４：ナビシート
２５：フィルムガイド
３１：反射原稿用光源
３２：イメージセンサ
４１：圧板
４２：透過原稿照明ユニット
４３：透過原稿用光源
【図１】
2005244828.tif 000003
【図２】
2005244828.tif 000004
【図３】
2005244828.tif 000005
【図４】
2005244828.tif 000006
【図５】
2005244828.tif 000007
【図６】
2005244828.tif 000008
【図７】
2005244828.tif 000009
【図８】
2005244828.tif 000010
【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
反射原稿及び透過原稿を載置可能な原稿台と、
前記原稿台に載置された反射原稿及び透過原稿を読み取り可能な画像読取手段と、
所定の反射原稿に記載された前記透過原稿の読み取り条件に基づいて前記原稿台上に置かれた前記透過原稿を前記画像読取手段により読み取る場合、まず、前記原稿台上の、前記透過原稿とは異なる位置に置かれた、前記所定の反射原稿を読み取り、次いで前記読み取り条件に基づいて前記透過原稿を読み取るように制御する制御手段と、
を有することを特徴する画像読取装置。
【請求項２】
前記透過原稿の読み取り条件には、前記透過原稿に含まれる複数のコマのうち読み取るべきコマの指定及び、前記コマのトリミング指定の少なくとも１つが含まれることを特徴とする請求項１記載の画像読取装置。
【請求項３】
反射原稿及び透過原稿を載置可能な原稿台における第１の領域について、反射原稿の読み取り処理を実行する反射原稿読み取り工程と、
前記反射原稿読み取り工程で読み取った結果を認識する認識工程と、
前記原稿台における第２の領域について、前記認識工程での認識結果に基づく透過原稿の読み取り処理を実行する透過原稿読み取り工程とを有することを特徴とする画像読取装置の制御方法。
【請求項４】
前記反射原稿には、前記透過原稿の読み取り条件が記載されており、前記読み取り条件には、前記透過原稿に含まれる複数のコマのうち読み取るべきコマの指定及び、前記コマのトリミング指定の少なくとも１つが含まれることを特徴とする請求項３記載の画像読取装置の制御方法。
【請求項５】
コンピュータに請求項３又は請求項４に記載の画像読取装置の制御方法を実行させるプログラム。
【請求項６】
請求項５に記載のプログラムを格納したコンピュータ読み取り可能な記録媒体。
【手続補正２】
【補正対象書類名】明細書
【補正対象項目名】００１２
【補正方法】変更
【補正の内容】
【００１２】
上述の目的を達成するため、本発明の画像読取装置は、反射原稿及び透過原稿を載置可能な原稿台と、原稿台に載置された反射原稿及び透過原稿を読み取り可能な画像読取手段と、所定の反射原稿に記載された透過原稿の読み取り条件に基づいて原稿台上に置かれた透過原稿を画像読取手段により読み取る場合、まず、原稿台上の、透過原稿とは異なる位置に置かれた、所定の反射原稿を読み取り、次いで読み取り条件に基づいて透過原稿を読み取るように制御する制御手段と、を有する。
【手続補正３】
【補正対象書類名】明細書
【補正対象項目名】００１３
【補正方法】変更
【補正の内容】
【００１３】
また、上述の目的を達成するため、本発明の画像読取装置の制御方法は、反射原稿及び透過原稿を載置可能な原稿台における第１の領域について、反射原稿の読み取り処理を実行する反射原稿読み取り工程と、反射原稿読み取り工程で読み取った結果を認識する認識工程と、原稿台における第２の領域について、認識工程での認識結果に基づく透過原稿の読み取り処理を実行する透過原稿読み取り工程とを有する。